(57)【特許請求の範囲】
【請求項１】
引戸と枠体との各当接面にあって、一方の当接面に磁石又は磁性体を有するキャッチャー本体を設けると共にもう一方の当接面に前記キャッチャー本体の磁石又は磁性体と吸着する磁石又は磁性体を有するキャッチャー受体を設けて成る引戸のマグネットキャッチャーにおいて、
前記キャッチャー本体のケース内に、軸方向へ摺動可能にして可動体を設け、
該可動体は、
前記ケースの開口端から出没可能に設けられ、前記磁石又は磁性体を有する頭部と、
該頭部から軸方向へ延設され、前記ケース内の隔壁を摺動自在に貫通する太軸部と、
該太軸部の後端に設けられたストッパキャップと、
該ストッパキャップと前記隔壁との間に挟まれるようにして前記太軸部の周りに設けられ、当該可動体を前記ケース内に引き込む方向へ弾性力を発揮するコイルスプリングと、
を含んで構成され、
前記キャッチャー本体の磁石又は磁性体と前記キャッチャー受体の磁石又は磁性体とが吸着した引戸閉鎖状態から前記引戸を開くときに、
前記可動体が前記コイルスプリングの弾性力に抗して前記ケースの開口端から所定量だけ引き出されるまで前記磁石又は磁性体の吸着が維持された後、
この吸着の解除と共に、前記可動体が前記コイルスプリングの弾性力で前記ケース内に引き込まれ、前記ケースの開口端と前記頭部とを面一にする収容状態となる
ことを特徴とする引戸のマグネットキャッチャー。
【請求項２】
前記キャッチャー受体は、
凹所を有したケースと、
該ケースの凹所に回転自在に立設され、雄ネジを刻設すると共に先端面に係合穴を刻設した調整体と、
を含んで構成され、
前記磁石又は磁性体を、前記調整体の雄ネジに螺合させて前記凹所に進退可能に収容することを特徴とする請求項１記載の引戸のマグネットキャッチャー。
【請求項３】
前記キャッチャー本体のケースを合成樹脂製にしたことを特徴とする請求項１記載の引戸のマグネットキャッチャー。
【発明の詳細な説明】
【０００１】
【発明の属する技術分野】
本発明は、引戸を閉めたとき、枠体や柱に当接した引戸が荒閉めにより跳ね返ったり、不用意に開いたりしないように、引戸を枠体や柱に磁石の力で吸着させるマグネットキャッチャーに関する。
【０００２】
【従来の技術】
磁石とこの磁石が吸着する磁性体を一対として構成した戸のマグネットキャッチャーは、基本的に周知で多数の提案がなされており、開き戸や引戸の固定装置として建具、物置等に使用されている。
【０００３】
図５は、マグネットキャッチャーを引戸の開き防止装置として使用した周知の例を示しており、枠体５０の引戸５１との当接面に磁性体５２を設けると共に、引戸５１の枠体５０との当接面に磁石５３が設けてある。引戸５１を閉めたとき、磁石５３と磁性体５２の吸着により引戸５１と枠体５０は吸着し、引戸５１が枠体５０から跳ね返ったり不用意に開かないようにしている。
【０００４】
【発明が解決しようとする課題】
しかしながら、従来の引戸のマグネットキャッチャーは、図において誇張して示すように、枠体５０が歪んだり変形していて引戸５１と枠体５０の当接面に隙間Ｓが生じる建て付けでは、閉めた引戸５１の戻り運動により磁石５３の吸着力が負けて吸着力が働かない状態になる。従って、引戸５１は、わずかな傾斜があっても動いてしまったり、不用意に開かれてしまうことがあり、閉鎖状態を確実に維持することができなかった。
【０００５】
また、枠体５０に歪みがなく、引戸５１が枠体５０にぴったり吸着している場合は、引戸５１の閉まりが固く閉鎖状態を良く維持するが、引戸５１を開く際には、磁石５３の吸着力を振り切る強い初動力を必要とする。この為、力の弱い子供やお年寄りには操作の負担が大きいうえに、強く引き過ぎて余勢で引戸５１を余分に走行させてしまう不具合があり、使い勝手が悪かった。
【０００６】
本発明は、上記の問題に鑑みてなされたもので、引戸と枠体の当接面に隙間があっても引戸が枠体に係着されると共に、引戸の開き易いマグネットキャッチャーにすることにある。
【０００７】
【課題を解決するための手段】
本発明は、引戸と枠体との各当接面にあって、一方の当接面に磁石又は磁性体を有するキャッチャー本体を設けると共にもう一方の当接面に前記キャッチャー本体の磁石又は磁性体と吸着する磁石又は磁性体を有するキャッチャー受体を設けて成る引戸のマグネットキャッチャーにおいて、前記キャッチャー本体のケース内に、軸方向へ摺動可能にして可動体を設け、該可動体は、前記ケースの開口端から出没可能に設けられ、前記磁石又は磁性体を有する頭部と、該頭部から軸方向へ延設され、前記ケース内の隔壁を摺動自在に貫通する太軸部と、該太軸部の後端に設けられたストッパキャップと、該ストッパキャップと前記隔壁との間に挟まれるようにして前記太軸部の周りに設けられ、当該可動体を前記ケース内に引き込む方向へ弾性力を発揮するコイルスプリングと、を含んで構成され、前記キャッチャー本体の磁石又は磁性体と前記キャッチャー受体の磁石又は磁性体とが吸着した引戸閉鎖状態から前記引戸を開くときに、前記可動体が前記コイルスプリングの弾性力に抗して前記ケースの開口端から所定量だけ引き出されるまで前記磁石又は磁性体の吸着が維持された後、この吸着の解除と共に、前記可動体が前記コイルスプリングの弾性力で前記ケース内に引き込まれ、前記ケースの開口端と前記頭部とを面一にする収容状態となるものとした。
これにより、引戸を閉じて磁石が吸着すれば、引戸と枠体との間に隙間ができても引戸の戻り運動に伴い可動体がキャッチャー本体から引き出されて引戸と枠体の係着を維持する。また、引戸を開く際には、引戸の初動に慣性が伴い、磁石の吸着を容易に振り切れる。
【０００８】
また、キャッチャー本体のケースを合成樹脂製とすることにより、磁石がケースと磁着せず、磁石の可動体を円滑に作動させることができる。
【００１０】
【発明の実施の形態】
以下、本発明の好適な実施の形態を添付図面を参照しながら詳細に説明する。
【００１１】
図１乃至図３は、本発明の引戸のマグネットキャッチャーの第一の実施の形態を示しており、図３に示すように、マグネットキャッチャーＭは、枠体３０と、この枠体３０のレール３１上を走行する引戸３５との各当接面３２、３６に設置されるものであり、本実施の形態にあっては、引戸３５側の当接面３６にキャッチャー本体１が埋設され、枠体３０側の当接面３２にキャッチャー受体２０が埋設されて構成されている。尚、図示とは反対に、引戸３５側にキャッチャー受体２０を、枠体３０側にキャッチャー本体１を埋設してもよい。
【００１２】
キャッチャー本体１は、内周壁に隔壁３とストッパ段部４を有する合成樹脂製の円筒状のケース２と、ケース２の基端部開口を閉塞する固着部材５と、ケース２内にコイルスプリング６で引き込まれ、ケース２の開口端２ａから先端部を出没可能に収容された可動体１０とで構成されている。
【００１３】
可動体１０は、その太軸部１１がケース２の隔壁３の中心の軸受孔３ａを摺動自在に貫通し、太軸部１１の先端面の中心には雄ネジ部１２が突設され、雄ネジ部１２には、円柱形の磁石１３を収容固着し合成樹脂製の薄肉の磁石カバー１４で前面と側面が被覆された頭部１５が螺着されており、また、太軸部１１の後端面には皿状のストッパキャップ１６がビス１７で固着されており、頭部１５の基端面がケース２の隔壁３の前面に当接すると共にストッパキャップ１６が固着部材５に当接した状態でケース２内に収容されている。
【００１４】
また、太軸部１１周りのコイルスプリング６は、その一端がストッパキャップ１６に当接すると共にもう一端を隔壁３の後面に弾性的に当接して可動体１０をケース２内に引き込んだ状態に弾性力を維持して装着されている。コイルスプリング６によってケース２に引き込まれている可動体１０は、その先端面、即ち、磁石カバー１４の外面をケース２の開口端２ａと面一にして軸方向に摺動可能となっている。
【００１５】
尚、キャッチャー受体２０側に磁石を用いる場合は、キャッチャー本体１側の可動体１０の磁石に代えて磁性体を使用してもよい。
【００１６】
キャッチャー本体１を引戸３５に取り付けるには、引戸３５の当接面３５に開口する取付け孔３７の奥面に予め固着部材５をビス７で固定しておき、可動体１０を組み込んだケース２を取付け孔３７に挿入し、ケース２の後端部と固着部材５とを螺合又はアンダーカット係合で固着すればよい。
【００１７】
一方、キャッチャー本体１に対向して枠体３０の当接面３２に埋設されるキャッチャー受体２０は、円形の合成樹脂製のケース２１の凹所２１ａの中央に、雄ネジを刻設した調整体２２が回転自在に立設されており、リング状の磁性体２３が調整体２２と螺合して凹所２１ａ内に進退可能に収容されている。
【００１８】
調整体２２の先端面にはドライバの先端が係合する係合穴２２ａが刻設されており、ドライバで調整体２２を回転させて磁性体２３を凹所２１ａ内で移動させ、キャッチャー受体２０の磁性体２３とキャッチャー本体１の磁石１３との磁着間隔を設けることによりマグネットキャッチャーＭの磁着力を調節するようになっている。枠体３０にビス止めされたキャッチャー受体２０の前面は合成樹脂製のカバー２４で被服されている。
【００１９】
本実施の形態のマグネットキャッチャーＭは以上のように構成されており、引戸３５が荒閉めされても磁石１３と磁性体２３とが吸着して引戸３５が枠体３０から跳ね返ることがなく、閉鎖状態を維持する。
【００２０】
磁石の吸着力とコイルスプリング６との力関係は、可動体１０がキャッチャー受体２０に吸着している引戸３５の閉鎖状態から引戸３５を開くとき、吸着した可動体１０がバネ圧に抗してケース２から引き出され、可動体１０のストッパキャップ１６がケース２のストッパ段部４に当接する迄の間、コイルスプリング６を圧縮しながら引戸が初動できるバネ圧に設定してある。磁着面の離反は、ストッパ１６、４による可動体１０の停止後の引戸３５の走行力で行われる。
【００２１】
従って、引戸３５が枠体３０にぴったり当接して磁着していても、引戸３５の走行の初動時に慣性が伴うので、磁石の吸着を容易に振り切り切って解放することができる。
【００２２】
また、枠体３０に歪みや変形があって閉鎖時に枠体３０と引戸３５との間に隙間が生じるような場合でも、磁性体２２に吸着した可動体１０が引戸３５の戻りに伴いキャッチャー本体から引き出されて引戸３５を枠体３０に係着状態に保持する。
【００２３】
また、引戸３５が解放されると、可動体１０はコイルスプリング６によってキャッチャー本体１内に引き込まれる。従って、可動体１０が邪魔にるようなこともない。
【００２４】
また、吸着力が強過ぎる場合は、調整体２２を使って磁性体２３と磁石１３との距離を取り、弱い場合は磁性体２３を磁石１３にいっぱいに接近させるように調整すると良い。
【００２５】
尚、既述したように、本発明におけるマグネットキャッチャーＭは、磁石と磁性体との組み合わせに限るものではなく、磁石同志によるＮ極とＳ極との組み合わせ、キャッチャー本体に磁性体を設けキャッチャー受体に磁石を設けた組み合わせ、更に、枠体にキャッチャー本体を設け引戸にキャッチャー受体を設けた組み合わせにも適用される。
【００２６】
図４は、別の実施の形態を示しており、基本的に上述した第一の実施の形態と同様であるので、共通する部分については第一の実施の形態と同一符号を付してその説明を省略する。
【００２７】
本実施の形態は、取り付け施工を簡易化する為のものであり、同図に示すように、キャッチャー本体１は、そのケース２の外周面に複数の抜け止め突起８が突設されており、ケース２の後端開口は栓体９のねじ込みにより閉塞されている。キャッチャー本体１は、引戸３５の取り付け孔３７に打ち込みによって固着されている。
【００２８】
また、キャッチャー受体２０は、衝撃を吸収する為に設けたゴム製円盤状の受板２５と円盤状の磁性体２３とを重ねて取付け穴に収容し、中央を貫通する一本のビス２６で固定したものである。尚、磁性体２３を取付け穴に直接固定してもよい。
【００２９】
本実施の形態は、第一の実施の形態を簡易化したものであり、その作用．効果は第一の実施の形態と同様である。
【００３０】
【発明の効果】
本発明は、以上説明したような形態で実施され、以下に記載されるような効果を奏する。
【００３１】
可動体の磁石がキャッチャー受体の磁性体と吸着した引戸の閉鎖状態から引戸を開くと、可動体がコイルスプリングの弾性力に抗してキャッチャー本体のケースの開口端から所定量だけ引き出されるようにしたので、引戸と枠体との間に隙間が出来てしまう建て付けであっても、引戸を閉じたとき磁石が吸着すれば、引戸の戻り運動に伴い可動体がキャッチャー本体から所定量引き出されて引戸と枠体の係着を維持する。従って、多少建て付けが悪い状態でも、また、少々傾斜状態に建て付けられても、引戸が不用意に解放されてしまうことがない。
【００３２】
また、引戸を開くとき、可動体の引き出し作動に伴い引戸の初動に慣性が伴うので、マグネットキャッチャーの吸着が容易に振り切れ、従来のマグネットキャッチャーに比較して引戸の開閉操作が容易であり、解放されると、可動体は引戸内に引き込まれるので邪魔になることもない。
【図面の簡単な説明】
【図１】本発明の引戸のマグネットキャッチャーを示す断面図。
【図２】図１の作動状態を示す断面図。
【図３】本発明のマグネットキャッチャーの使用状態を示す説明図。
【図４】別の実施の形態を示す断面図。
【図５】従来例を示す説明図。
【符号の説明】
１  キャッチャー本体，２  ケース，２ａ  開口端，６  コイルスプリング，１０  可動体，１３  磁石，２０  キャッチャー受体，２３  磁性体，３０  枠体，３２  当接面，３５  引戸，３６  当接面，Ｍ  マグネットキャッチャー，
【図１】
0004190642.tif 000002
【図２】
0004190642.tif 000003
【図３】
0004190642.tif 000004
【図４】
0004190642.tif 000005
【図５】
0004190642.tif 000006